(57)【特許請求の範囲】
【請求項１】
画像データの通信処理を行う通信処理部，
画像を表示するための第１の表示装置および第２の表示装置，
画像データを再生して上記第１の表示装置および第２の表示装置に画像を表示する処理を行う再生処理部，
外部装置との間でディジタル画像データの通信処理を行う通信モードの設定手段，
上記通信モード設定手段により通信モードが設定されたことを検出する通信モード検出手段，
上記通信モード検出手段による通信モードの検出に応じて，上記第１の表示装置および上記再生処理部への動作電源の供給を停止する第１の電源制御手段，
画像表示の設定手段，
上記通信モード設定手段による通信モードの設定中に上記画像表示設定手段により画像表示が設定されたことを検出する画像表示設定検出手段，
上記画像表示設定検出手段による画像表示設定の検出に応じて，上記再生処理部に動作電源を供給する第２の電源制御手段，ならびに
上記画像表示設定検出手段による画像表示設定の検出に応じて，上記第２の表示装置に，上記通信処理部によって通信される画像データにより表される画像を表示するように制御する表示制御手段，
を備えたディジタル画像データ通信装置。
【請求項２】
画像データの通信処理を行う通信処理部，
画像を表示するための第１の表示装置および第２の表示装置，
画像データを再生して上記第１の表示装置および第２の表示装置に画像を表示する処理を行う再生処理部，
外部装置との間でディジタル画像データの通信処理を行う通信モードの設定手段，ならびに
画像表示の設定手段，
を備えたディジタル画像データ通信装置において，
上記通信モード設定手段により通信モードが設定されたかどうかを検出し，
通信モードの検出に応じて，上記第１の表示装置および上記再生処理部への動作電源の供給を停止し，
上記通信モード設定手段による通信モードの設定中に上記画像表示設定手段により画像表示が設定されたかどうかを検出し，
上記通信モードの設定中における画像表示設定の検出に応じて，上記再生処理部に動作電源を供給し，かつ上記第２の表示装置に，上記通信処理部によって通信される画像データにより表される画像を表示するように制御する，
ディジタル画像データ通信装置の動作方法。
【請求項３】
画像データの通信処理を行う通信処理部，
画像を表示するための第１の表示装置，
画像データを再生して上記第１の表示装置およびディジタル画像データ通信装置に接続される第２の表示装置に画像を表示する処理を行う再生処理部，
外部装置との間でディジタル画像データの通信処理を行う通信モードの設定手段，
上記通信モード設定手段により通信モードが設定されたことを検出する通信モード検出手段，
上記通信モード検出手段による通信モードの検出に応じて，上記第１の表示装置および上記再生処理部への動作電源の供給を停止する第１の電源制御手段，
画像表示の設定手段，
上記通信モード設定手段による通信モードの設定中に上記画像表示設定手段により画像表示が設定されたことを検出する画像表示設定検出手段，
上記画像表示設定検出手段による画像表示設定の検出に応じて，上記再生処理部に動作電源を供給する第２の電源制御手段，ならびに
上記画像表示設定検出手段による画像表示設定の検出に応じて，上記第２の表示装置に，上記通信処理部によって通信される画像データにより表される画像を表示するように制御する表示制御手段，
を備えたディジタル画像データ通信装置。
【請求項４】
画像データの通信処理を行う通信処理部，
画像を表示するための第１の表示装置，
画像データを再生して上記第１の表示装置およびディジタル画像データ通信装置に接続される第２の表示装置に画像を表示する処理を行う再生処理部，
外部装置との間でディジタル画像データの通信処理を行う通信モードの設定手段，ならびに
画像表示の設定手段，
を備えたディジタル画像データ通信装置において，
上記通信モード設定手段により通信モードが設定されたかどうかを検出し，
通信モードの検出に応じて，上記第１の表示装置および上記再生処理部への動作電源の供給を停止し，
上記通信モード設定手段による通信モードの設定中に上記画像表示設定手段により画像表示が設定されたかどうかを検出し，
上記通信モードの設定中における画像表示設定の検出に応じて，上記再生処理部に動作電源を供給し，かつ上記第２の表示装置に，上記通信処理部によって通信される画像データにより表される画像を表示するように制御する，
ディジタル画像データ通信装置の動作方法。
【発明の詳細な説明】
【０００１】
【産業上の利用分野】
この発明は，ディジタル画像データ通信装置およびその動作方法に関する。
【０００２】
【従来技術】
ディジタル電子スチル・カメラの多機能化の要請に伴ない，被写体を撮影しこの被写体像を表わす画像データをメモリ・カードに記録する撮影処理，メモリ・カードに記録された画像データを再生してビュー・ファインダまたはモニタ表示装置に表示する再生処理，メモリ・カードに記録された画像データをパーソナル・コンピュータなどに送信する通信処理などがディジタル電子スチル・カメラの機能として付加されている。
【０００３】
【発明が解決しようとする課題】
多くの機能を有するディジタル電子スチル・カメラにおいて，たとえば通信処理を行なうとき（ディジタル画像データ通信装置）は撮影処理や再生処理を動作させることは必ずしも必要ではない。従来は各処理部すべてに動作電源が供給されていた。
【０００４】
しかしながら動作電源が必ずしも必要でない処理部に動作電源を供給することは無用な電力の消耗につながる。
【０００５】
この発明は，ディジタル画像データ通信装置の省電力化を図ることを目的とする。
【０００６】
【発明の構成，作用および効果】
この発明のディジタル画像データ通信装置は，画像データの通信処理を行う通信処理部，画像を表示するための表示装置，画像データを再生して上記表示装置に画像を表示する処理を行う再生処理部，外部装置との間でディジタル画像データの通信処理を行う通信モードの設定手段，上記通信モード設定手段により通信モードが設定されたことを検出する通信モード検出手段，上記通信モード検出手段による通信モードの検出に応じて，上記表示装置および上記再生処理部への動作電源の供給を停止する第１の電源制御手段，画像表示の設定手段，上記通信モード設定手段による通信モードの設定中に上記画像表示設定手段により画像表示が設定されたことを検出する画像表示設定検出手段，上記画像表示設定検出手段による画像表示設定の検出に応じて，上記表示装置および上記再生処理部に動作電源を供給する第２の電源制御手段，ならびに上記画像表示設定検出手段による画像表示設定の検出に応じて，上記通信処理部によって通信される画像データにより表される画像を表示するように上記表示装置を制御する表示制御手段を備えていることを特徴とする。
【０００７】
この発明のディジタル画像データ通信装置の動作方法は，画像データの通信処理を行う通信処理部，画像を表示するための表示装置，画像データを再生して上記表示装置に画像を表示する処理を行う再生処理部，外部装置との間でディジタル画像データの通信処理を行う通信モードの設定手段，ならびに画像表示の設定手段を備えたディジタル画像データ通信装置において，上記通信モード設定手段により通信モードが設定されたかどうかを検出し，通信モードの検出に応じて，上記表示装置および上記再生処理部への動作電源の供給を停止し，上記通信モード設定手段による通信モードの設定中に上記画像表示設定手段により画像表示が設定されたかどうかを検出し，上記通信モードの設定中における画像表示設定の検出に応じて，上記表示装置および上記再生処理部に動作電源を供給し，かつ上記通信処理部によって通信される画像データにより表される画像を表示するように上記表示装置を制御するものである。
【０００８】
この発明によると，通信モードの設定が検出されると上記表示装置および上記再生処理部への動作電源の供給が停止する。通信モードが設定されているときに画像表示の設定が検出されると，上記表示装置および上記再生処理部に動作電源が供給される。上記通信処理部によって通信されている画像データによって表される画像が上記表示装置に表示される。
【０００９】
この発明のディジタル画像データ通信装置およびその動作方法によると，通信モードの設定が検出されると表示装置および再生処理部への動作電源の供給が停止するが，通信モードが設定されている場合でも画像表示設定が行われると画像表示に必要な表示装置および再生処理部に動作電源が供給される。したがって，装置の省電力化を図りつつ，通信されている画像データによって表される画像を確認することができるようになる。
【００１０】
【実施例】
図１はこの発明の実施例を示すもので，ディジタル電子スチル・カメラの電気的構成を示すブロック図である。
【００１１】
ディジタル電子スチル・カメラ50には全体制御部10が含まれ，この全体制御部10から各回路に機能制御信号が与えられることにより全体の動作が統括される。ディジタル電子スチル・カメラ50には供給電源としての電源回路15が含まれ，各回路に制御スイッチを介して動作電圧ＶCCが与えられる。制御スイッチは全体制御部10から出力される電源制御信号Ｃによってオン，オフ制御される。したがって全体制御部10によって各回路への動作電圧の供給およびその停止が制御される。ＣＣＤ22に制御スイッチ23が，前処理回路24に制御スイッチ25が，アナログ／ディジタル（Ａ／Ｄ）変換回路26に制御スイッチ27が，ディジタル／アナログ（Ｄ／Ａ）変換回路33に制御スイッチ34が，後処理回路35に制御スイッチ36が，ビューファインダ37に制御スイッチ38が，通信インターフェイス39に制御スイッチ40がそれぞれ接続されている。
【００１２】
ディジタル電子スチル・カメラ50は被写体像を表わす画像データをメモリ・カード51に記録する撮影処理のほか，メモリ・カード51に記録されている画像データを再生して画像データによって表わされる画像をビューファインダ37またはモニタ表示装置52に表示する再生処理，メモリ・カード51に記録されている画像データを外部装置53と通信する通信処理を行なうことができる。ディジタル電子スチル・カメラ50には撮影処理を設定するための撮影モード・スイッチ11，再生処理を設定するための再生モード・スイッチ12，通信モードを設定するための通信モード・スイッチ13および通信モードのときに通信中の画像データによって表わされる画像をビューファインダ37またはモニタ表示装置52において表示するための再生切換スイッチ14が含まれている。これらの各スイッチ11〜14の押下げを示す制御信号は全体制御部10に与えられる。
【００１３】
被写体像は結像レンズ21によってＣＣＤ22上に結像される。ＣＣＤ22には制御スイッチ23のオン，オフに応じて動作電圧ＶCCが供給される。被写体像を表わす画像データをメモリ・カード51に記録するときには，ＣＣＤ22から被写体像を表わすアナログ映像信号が出力され前処理回路24に与えられる。
【００１４】
前処理回路24は入力するアナログ映像信号の増幅などの処理を行なう回路であり，制御スイッチ25がオンとなることにより動作状態となる。前処理回路24から出力されるアナログ映像信号はＡ／Ｄ変換回路26に与えられディジタル画像データに変換される。
【００１５】
前処理回路24から出力されるアナログ映像信号は切換スイッチ41を介してビューファインダ37にも与えられる。このとき切換スイッチ41はａ端子側が導通状態とされ，前処理回路24から出力されるアナログ映像信号がビューファインダ37に与えられることにより被写体像がビューファインダ37上に表示される。
【００１６】
Ａ／Ｄ変換回路26によって変換されたディジタル画像データはメモリ・コントローラ28の制御の下に，一旦フレーム・メモリ29に記憶される。フレーム・メモリ29に記憶されたディジタル画像データは輝度データ／色データ（Ｙ／Ｃ）処理回路32に与えられ画素補間が行なわれる。画素補間が行なわれたディジタル画像データは再びフレーム・メモリ29に与えられ記憶される。
【００１７】
フレーム・メモリ29に記憶されたディジタル画像データは再び読出され，圧縮伸張回路30に与えられる。圧縮伸張回路30はハフマン符号化，ランレングス符号化によりデータ圧縮する処理および圧縮されたディジタル画像データを伸張する処理を行なう回路である。圧縮伸張回路30によってデータ圧縮されたディジタル画像データはメモリ・カード・インターフェイス31を介してメモリ・カード51に与えられ，所定の領域に記録される。
【００１８】
メモリ・カード51に記録されたディジタル画像データを再生するときには，ディジタル画像データがメモリ・カード51から読出され，メモリ・カード・インターフェイス31を経て圧縮伸張回路30に与えられる。圧縮伸張回路30によってデータ伸張が行なわれるとメモリ・コントローラ28の制御の下にフレーム・メモリ29に一旦記憶される。
【００１９】
フレーム・メモリ29に一旦記憶されたディジタル画像データはフレーム・メモリ29から読出されＹ／Ｃ処理回路32を経てＤ／Ａ変換回路33に与えられる。Ｄ／Ａ変換回路33によってアナログ変換処理が行なわれアナログ映像信号が得られる。アナログ映像信号は後処理回路35に与えられる。
【００２０】
後処理回路35によってアナログ映像信号が増幅されて出力される。ディジタル電子スチル・カメラ50はモニタ表示装置52を接続することができ，ビューファインダ37のほかにモニタ表示装置52によっても画像を表示することができる。ディジタル電子スチル・カメラ50に接続されるモニタ表示装置52と後処理回路35との間には制御スイッチ42が，ビューファインダ37と後処理回路35との間には切換スイッチ41がそれぞれ接続されている。これらの切換スイッチ41および制御スイッチ42は全体制御部10から出力される制御信号によって制御される。
【００２１】
後処理回路35から出力されるアナログ映像信号によって表わされる画像をビューファインダ37に表示するときには切換スイッチ41のｂ端子側が導通状態とされ，後処理回路35から出力されるアナログ映像信号によって表わされる画像をモニタ表示装置52においても表示するときには制御スイッチ42がオンとされるよう全体制御部10によって制御される。これによりビューファインダ37に再生画像が表示され，必要に応じてモニタ表示装置52にも再生画像が表示される。
【００２２】
ディジタル電子スチル・カメラ50は外部装置53と画像データの通信を行なう機能も備えている。メモリ・カード51に記録されている画像データを外部装置53に送信するときには，メモリ・カード51に記録されているディジタル画像データが読取られ，メモリ・カード・インターフェイス31および通信インターフェイス39を介して外部装置53に与えられる。外部装置53から送信されるディジタル画像データをメモリ・カード51に記録するときにはディジタル画像データが通信インターフェイス39を経てディジタル電子スチル・カメラ50に取込まれ，メモリ・カード・インターフェイス31を介してメモリ・カード51に与えられて記録される。
【００２３】
図２は撮影モードが設定されたときの処理手順を表わすフローチャートである。
【００２４】
ディジタル電子スチル・カメラ50はアイドル状態となっており（ステップ61），すべての回路に動作電源ＶCCが供給されている。撮影モード・スイッチ11が押下げられると（ステップ62でYES ），制御スイッチ34，36および40がオフとされる。これにより撮影に無関係なＤ／Ａ変換回路33，後処理回路35および通信インターフェイス39への動作電圧の供給が停止される（ステップ63）。したがって不要な電力の消耗が防止される。また切換スイッチ41はａ端子側が導通状態とされる。
【００２５】
撮影処理に不要な回路の電圧の供給が停止すると，撮影処理が行なわれる（ステップ64）。撮影処理はシャッタ・レリーズ・ボタン（図示略）の押下げにより上述のようにＣＣＤ22からアナログ映像信号が出力され，ディジタル画像データに変換されて画素補間およびデータ圧縮処理が施されメモリ・カード51に記録されることにより行なわれる。撮影モード・スイッチ11が押下げられ，シャッタ・レリーズ・ボタンが押されることにより撮影処理が続けられる（ステップ65でYES）。
【００２６】
撮影モード・スイッチ11の押下げが無くなると（ステップ65でNO），制御スイッチ34，36および40がオンとされＤ／Ａ変換回路33，後処理回路35および通信インターフェイス39に動作電圧ＶCCが供給され，ディジタル電子スチル・カメラ50はアイドル状態に戻る。
【００２７】
図３は再生モードが設定されたときの処理手順を表わすフローチャートである。
【００２８】
アイドル状態となっているディジタル電子スチル・カメラ50に対して，再生モード・スイッチ12の押下げがあると（ステップ72でYES ），制御スイッチ23，25，27，38および40はオフとされる。これによりメモリ・カード51に記録された画像データの再生に無関係なＣＣＤ22，前処理回路24，Ａ／Ｄ変換回路26，ビューファインダ37および通信インターフェイス39への動作電圧ＶCCの供給が停止される（ステップ73）。また切換スイッチ41はｂ端子側が導通状態とされ，制御スイッチ42がオンとされる。制御スイッチ38をオンとしてビューファインダ37によって再生画像を観察してもよい。
【００２９】
再生処理に不要な回路の電圧の供給が停止すると，再生処理が行なわれる（ステップ74）。再生処理は上述のようにメモリ・カード51に記録されたディジタル画像データが読取られデータ伸張されアナログ変換が施されモニタ表示装置52に与えられることにより行なわれる。再生モード・スイッチ12の押下げが続く限りこの再生処理が続けられる（ステップ75でYES ）。
【００３０】
再生モード・スイッチの押下げが無くなると（ステップ75でNO），制御スイッチ23，25，27，38および40がオンとされＣＣＤ22，前処理回路24，Ａ／Ｄ変換回路26，ビューファインダ37および通信インターフェイス39に動作電圧ＶCCが供給され，ディジタル電子スチル・カメラ50はアイドル状態に戻る。
【００３１】
図４は通信モードが設定されたときの処理手順を表わすフローチャートである。
【００３２】
アイドル状態となっているディジタル電子スチル・カメラ50に対して，通信モード・スイッチ13の押下げがあると（ステップ82でYES ），制御スイッチ23，25，27および38がオフとされる。通信モードにおいては通信されるディジタル画像データを表わす画像をモニタ表示装置52において目視して確認することができる。このためディジタル電子スチル・カメラ50においては再生切換スイッチ14が含まれている。再生切換スイッチ14が押されると制御スイッチ34および36はオンとされる（ステップ84でYES ，85）。これにより再生処理に必要なＤ／Ａ変換回路33および後処理回路35に動作電圧ＶCCが与えられ動作可能な状態となる。また制御スイッチ42もオンとされ後処理回路35から出力されるアナログ映像信号がモニタ表示装置52に与えられる。
【００３３】
つづいて上述のようにメモリ・カード51，メモリ・カード・インターフェイス31，通信インターフェイス39および外部装置53との間でディジタル画像データの通信処理が行なわれるとともに，ディジタル画像データの再生処理が行なわれ，通信中のディジタル画像データに表わす画像がモニタ表示装置52に表示される。通信モード・スイッチ13が押されている限りステップ84から88の処理が続けられる。
【００３４】
通信モード・スイッチ13の押下げが無くなると（ステップ89でNO），制御スイッチ23，25，27，34，36，38がオンとされ，ＣＣＤ22，前処理回路24，Ａ／Ｄ変換回路26，Ｄ／Ａ変換回路33，後処理回路35およびビューファインダ37に動作電圧ＶCCが供給され，ディジタル電子スチル・カメラ50はアイドル状態に戻る（ステップ90）。
【００３５】
通信モード中に再生切換スイッチ14が押されないときは（ステップ84でNO），さらに制御スイッチ34および36がオフとされ，Ｄ／Ａ変換回路33および後処理回路35への動作電圧ＶCCの供給が停止される。このときは通信が行なわれている画像データによって表わされる画像はモニタ表示装置52に表示されないが，電力の消耗を極力抑えることができるようになる。
【図面の簡単な説明】
【図１】この発明の実施例を示すものでディジタル電子スチル・カメラの電気的構成を示すブロック図である。
【図２】撮影モードの処理手順を示すフローチャートである。
【図３】再生モードの処理手順を示すフローチャートである。
【図４】通信モードの処理手順を示すフローチャートである。
【符号の説明】
10  全体制御部
22  ＣＣＤ
23，25，27，34，36，38，40  制御スイッチ
24  前処理回路
26  Ａ／Ｄ変換回路
33  Ｄ／Ａ変換回路
35  後処理回路
37  ビューファインダ
39  通信インターフェイス
50  ディジタル電子スチル・カメラ
【図１】
0003973383.tif 000002
【図２】
0003973383.tif 000003
【図３】
0003973383.tif 000004
【図４】
0003973383.tif 000005